(57)【要約】【課題】意外性を付与しつつ高級感を向上させることのできる装飾品を提供すること。【解決手段】装飾品としての食品サンプル１０は、食品の形状を有するサンプル本体と、サンプル本体の表面に設けられた接着層と、接着層の表面に設けられた金箔からなる金属層とを有している。【選択図】図１
0003217577.tif 000002
【実用新案登録請求の範囲】
【請求項１】
食品の形状を有する本体と、
前記本体の表面に設けられた接着層と、
前記接着層の表面に設けられた箔状の金属層と、を有する、
装飾品。
【請求項２】
前記接着層は漆を主成分として含む、
請求項１に記載の装飾品。
【請求項３】
前記金属層の表面には、透明な樹脂層が設けられている、
請求項１または請求項２に記載の装飾品。
【考案の詳細な説明】
【技術分野】
【０００１】
本考案は、食品の形状を有する装飾品に関する。
【背景技術】
【０００２】
従来、食品の模型である食品サンプルが知られている（例えば特許文献１参照）。こうした食品サンプルを製造する際には、まず、例えば食品の現物を用いて型どりされた成形型に、溶融状態のポリ塩化ビニルを流し込む。その後、ポリ塩化ビニルを硬化させることにより、食品の形状を有するサンプルの本体が形成される。続いて、本体の表面に、食品の色彩を模した着色を施す。こうして製造された食品サンプルは、飲食店のショーケースなどに陳列されたり、土産物売り場などで販売されたりする。
【先行技術文献】
【特許文献】
【０００３】
【特許文献１】実用新案登録第３０８７５６９号
【考案の概要】
【考案が解決しようとする課題】
【０００４】
ところで、本願考案者は、食品サンプルの本体の表面に、金色の塗料をスプレーすることにより、食品の形状を有するとともに金色を呈する装飾品を製造することを考えた。こうした装飾品によれば、装飾品が食品の形状を有しながら金色を呈することで意外性を付与することができるようになる。しかしながら、塗料をスプレーするだけでは、明度を高めることが難しく、金属光沢が得られにくい。そのため、装飾品の高級感を向上させる上で、なお、改善の余地を残すものとなっている。
【０００５】
本考案の目的は、意外性を付与しつつ高級感を向上させることのできる装飾品を提供することである。
【課題を解決するための手段】
【０００６】
上記目的を達成するための装飾品は、食品の形状を有する本体と、前記本体の表面に設けられた接着層と、前記接着層の表面に設けられた箔状の金属層と、を有する。
同構成によれば、食品の形状を有する本体の表面に、接着層を介して箔状の金属層が設けられている。このため、食品の形状を有する装飾品の一部または全体が金属色を呈するようになる。これにより、意外性を付与することができる。また、本体の表面に金属色の塗料をスプレーする場合に比べて、明度を高めることができるとともに、金属光沢が得られやすくなる。したがって、高級感を向上させることができる。
【０００７】
上記装飾品において、前記接着層は漆を主成分として含むことが好ましい。
同構成によれば、接着層として例えば金箔や銀箔の箔下漆として用いられる漆を用いるようにすれば、明度や金属光沢を更に高めることができる。
【０００８】
上記装飾品において、前記金属層の表面には、透明な樹脂層が設けられていることが好ましい。
同構成によれば、金属層が樹脂層によって覆われるため、本体の表面から金属層が剥がれ落ちることを抑制することができる。また、樹脂層は透明であるため、樹脂層を設けることに起因して金属層の明度が低くなることや、金属光沢が損なわれることを抑制できる。また、装飾品の表面に艶を出すことができる。したがって、金属層の剥離抑制及び高級感の低下抑制を両立することができる。
【考案の効果】
【０００９】
本考案によれば、意外性を付与しつつ高級感を向上させることができる。
【図面の簡単な説明】
【００１０】
【図１】装飾品の一実施形態について、（ａ）はズワイガニを模した食品サンプルを正面から見た写真、（ｂ）は同食品サンプルを背面から見た写真。
【図２】同実施形態の装飾品の断面図。
【図３】第１の変更例の装飾品を示す写真。
【図４】第２の変更例の装飾品を示す写真。
【図５】第３の変更例の装飾品を示す写真。
【図６】第４の変更例の装飾品を示す写真。
【考案を実施するための形態】
【００１１】
以下、図１及び図２を参照して、装飾品を食品サンプルとして具体化した一実施形態について説明する。
図１（ａ）、図１（ｂ）、及び図２に示すように、食品サンプル１０は、ズワイガニの形状を模したものであり、ズワイガニの形状を有するサンプル本体１１と、サンプル本体１１の表面に設けられた接着層１２と、接着層１２の表面に設けられた箔状の金属層１３と、金属層１３の表面に設けられた透明な樹脂層１４とを有している。
【００１２】
サンプル本体１１は、熱可塑性樹脂からなり、例えばズワイガニの現物を用いて型どりされた成形型に、溶融状態の樹脂を流し込むとともに、同樹脂を硬化させることにより形成される。本実施形態では、塩化ビニルによってサンプル本体１１が形成されている。
【００１３】
接着層１２は、例えば金箔や銀箔の箔下漆として用いられる黒漆を主成分として含んでおり、サンプル本体１１の表面全体に設けられている。なお、黒漆は、生漆に対して酸化鉄を含有させることにより黒色を呈している。
【００１４】
金属層１３は、例えば０．１μｍの平均厚さを有する金箔であり、サンプル本体１１の表面全体に設けられている。
樹脂層１４は、ポリウレタンからなり、金属層１３の表面全体にスプレー塗装されている。
【００１５】
以上説明した本実施形態に係る装飾品によれば、以下に示す作用効果が得られるようになる。
（１）装飾品としての食品サンプル１０は、食品の形状を有するサンプル本体１１と、サンプル本体１１の表面に設けられた接着層１２と、接着層１２の表面に設けられた金箔からなる金属層１３とを有している。
【００１６】
こうした構成によれば、食品（ズワイガニ）の形状を有するサンプル本体１１の表面に、接着層１２を介して金箔からなる金属層１３が設けられている。このため、食品の形状を有する装飾品としての食品サンプル１０全体が金色を呈するようになる。これにより、意外性を付与することができる。また、サンプル本体１１の表面に金色の塗料をスプレーする場合に比べて、明度を高めることができるとともに、金属光沢が得られやすくなる。したがって、高級感を向上させることができる。よって、意外性を付与しつつ高級感を向上させることができる。
【００１７】
（２）接着層１２は黒漆を主成分として含んでいる。
こうした構成によれば、接着層１２として金箔や銀箔の箔下漆として用いられる黒漆を用いることで、明度や金属光沢を更に高めることができる。
【００１８】
（３）金属層１３の表面には、透明な樹脂層１４が設けられている。
こうした構成によれば、金属層１３が樹脂層１４によって覆われるため、サンプル本体１１の表面から金属層１３が剥がれ落ちることを抑制することができる。また、樹脂層１４は透明であるため、樹脂層１４を設けることに起因して金属層１３の明度が低くなることや、金属光沢が損なわれることを好適に抑制しつつ、食品サンプル１０の表面に艶を出すことができる。したがって、金属層１３の剥離抑制及び高級感の低下抑制を両立することができる。
【００１９】
＜変更例＞
なお、上記実施形態は、例えば以下のように変更することもできる。
・本発明に係る装飾品は、ズワイガニの形状を有するものに限定されず、他のカニや、カニ以外のエビなどの甲殻類の形状を有するもの、あるいは鯛やヒラメといった魚類などの形状を有するものであってもよい。
【００２０】
また、食品の形状を有する食品サンプル全般に対して本発明を適用することができる。以下にその一例を示す。
・図３に示すように、にぎり寿司や軍艦巻きなどの寿司の形状を有する食品サンプル２０Ａ，２０Ｂ，２０Ｃとして装飾品を具現化することもできる。この場合、これら食品サンプル２０Ａ，２０Ｂ，２０Ｃを載せる寿司下駄２５（寿司盛台とも称される）についても、木製の本体に対して、上記実施形態と同様にして接着層、金属層、及び樹脂層を適宜設けることができる。
【００２１】
・図４に示すように、ロールケーキの形状を有する食品サンプル３０として装飾品を具現化することもできる。この場合、円柱状をなすサンプル本体３１の端面の中心部に位置する略円形状のクリーム部３１ａのみに接着層及び金属層が設けられている。また、サンプル本体３１のうちクリーム部３１ａ以外の部分であるスポンジ部３１ｂの表面には、実際のスポンジの色彩を模した着色が施されている。なお、樹脂層は、金属層の表面にのみ設けることもできるし、例えば食品サンプル３０全体に設けることもできる。
【００２２】
・図５に示すように、部分的に皮が剥かれたバナナの形状を有する食品サンプル４０として装飾品を具現化することもできる。この場合、サンプル本体４１のうちバナナの可食部に相当する芯部４１ａの表面のみに接着層、金属層、及び樹脂層が設けられている。また、サンプル本体４１のうちバナナの皮部４１ｂの表面には、実際のバナナの皮の色彩を模した着色が施されている。
【００２３】
・図６に示すように、ジョッキ５５に注がれたビールの形状を有する食品サンプル５０として装飾品を具現化することもできる。この場合、サンプル本体５１の泡部５１ａのうちジョッキ５５の上部開口から露出する表面のみに接着層、金属層、及び樹脂層が設けられている。
【００２４】
・樹脂層は、ポリウレタンに限定されない。他に例えば、シリコン系の塗料をスプレー塗装することにより樹脂層を形成することもできる。
・接着層は、黒漆に限定されず、酸化鉄を含まない生漆や、合成樹脂系の接着剤であってもよい。
【００２５】
・金属層は、金箔に限定されず、銀箔や銅箔などの他の金属箔であってもよい。
【符号の説明】
【００２６】
１０，２０Ａ，２０Ｂ，２０Ｃ，３０，４０，５０…食品サンプル（装飾品）、１１，３１，４１，５１…サンプル本体（本体）、１２…接着層、１３…金属層、１４…樹脂層、２５…寿司下駄、３１ａ…クリーム部、３１ｂ…スポンジ部、４１ａ…芯部、４１ｂ…皮部、５１ａ…泡部、５５…ジョッキ。
【図１】
0003217577.tif 000003
【図２】
0003217577.tif 000004
【図３】
0003217577.tif 000005
【図４】
0003217577.tif 000006
【図５】
0003217577.tif 000007
【図６】
0003217577.tif 000008